【手続補正書】
【提出日】平成19年4月16日(2007.4.16)
【手続補正１】
【補正対象書類名】特許請求の範囲
【補正対象項目名】全文
【補正方法】変更
【補正の内容】
【特許請求の範囲】
【請求項１】
第１基板と第２基板の間に電気光学物質が挟持され、前記第１基板と前記第２基板との間の前記電気光学物質の層厚をギャップ部材によって維持するとともに、前記第１基板及び前記第２基板のうち一方の基板の前記液晶層側には、着色膜と遮光膜が備えられており、複数のドットを有して構成された表示領域において表示を行う液晶装置であって、
前記着色膜は、前記複数のドットに重なる複数色の表示着色膜を有し、前記表示領域内の前記複数のドットの間には、所定の色の表示着色膜の一部と該所定の色の表示着色膜に隣接した前記所定の色とは異なる色の表示着色膜の一部とが重なって遮光する部分と、前記所定の色の表示着色膜の一部と前記所定の色とは異なる色の表示着色膜の一部とが重ならずに前記遮光膜が設けられた部分と、が備えられており、
前記遮光膜が設けられた部分は、前記所定の色の表示着色膜の一部と前記所定の色とは異なる色の表示着色膜の一部とが重なって遮光する部分が延在した方向であって、前記ドットの角部に対応した位置に配置されており、
前記遮光膜は、前記所定の色の表示着色膜の一部と前記所定の色とは異なる色の表示着色膜の一部とが重なって遮光する部分の幅及び前記ギャップ部材の幅よりも大きく設けられていることを特徴とする電気光学装置。
【請求項２】
前記遮光膜上に隙間を有して前記所定の色の表示着色膜の一部と前記所定の色とは異なる色の表示着色膜の一部とが隣接して設けられていることを特徴とする請求項１に記載の電気光学装置。
【請求項３】
前記表示領域の外部の周辺領域には、
前記遮光膜と同一材料で形成され、前記周辺領域を遮光する周辺遮光膜と、
前記表示着色膜と同一材料で形成され、前記周辺遮光膜上に設けられた周辺着色膜と、が備えられ、
前記遮光膜上に隙間を有して設けられた前記表示着色膜の前記所定の色の前記周辺着色膜の一部と前記所定の色とは異なる色の表示着色膜の一部が、前記周辺着色膜として前記周辺領域の前記周辺遮光膜上にも設けられており、
前記ギャップ部材は、前記周辺着色膜として前記周辺領域の前記周辺遮光膜上にも設けられた前記所定の色の表示着色膜の一部と前記所定の色とは異なる色の表示着色膜の一部の前記隙間に対応して配置されていることを特徴とする請求項２に記載の電気光学装置。
【請求項４】
前記表示領域における前記遮光膜と該遮光膜上に設けられた前記表示着色膜の膜厚と、前記周辺領域における前記周辺遮光膜と該周辺遮光膜上に設けられた前記周辺着色膜の膜厚は、概ね同一に設定されていることを特徴とする請求項３に記載の電気光学装置。
【請求項５】
第１基板と第２基板の間に電気光学物質が挟持され、前記第１基板と前記第２基板との間の前記電気光学物質の層厚をギャップ部材によって維持するとともに、前記第１基板及び前記第２基板のうち一方の基板の前記電気光学物質側には、着色膜と遮光膜が備えられており、配列された複数のドットを有して構成された表示領域において表示を行う電気光学装置であって、
前記着色膜は、前記複数のドットに重なる複数色の表示着色膜と、前記表示領域の外部の周辺領域に設けられた周辺着色膜とを有し、前記遮光膜は、前記表示領域内において前記複数のドットの間に設けられた遮光膜と、前記周辺領域に設けられた周辺遮光膜とを有してなり、
前記表示領域内には、前記表示着色膜の一部と前記複数のドットの間に設けられた遮光膜とが重なり合う積層部が設けら、前記周辺領域内には、前記周辺遮光膜上に前記周辺着色膜が設けられた複数の積層部と、前記周辺遮光膜上に前記周辺着色膜が設けられていない部分と、が設けられており、
前記周辺領域内における複数の前記積層部は、前記複数のドットの第１の配列方向に延在した積層部と、前記第１の配列方向に直交した前記複数のドットの第２の配列方向に延在した積層部によって構成され、該積層部同士の隙間に対応して前記ギャップ部材が配置されていることを特徴とする液晶装置。
【請求項６】
前記表示領域内における前記積層部の膜厚と、前記周辺領域内における前記積層部の膜厚は、概ね同一に設定されていることを特徴とする請求項５に記載の電気光学装置。
【請求項７】
請求項１から請求項６のいずれか一項に記載の電気光学装置を表示部として備えたことを特徴とする電子機器。
【手続補正２】
【補正対象書類名】明細書
【補正対象項目名】０００５
【補正方法】変更
【補正の内容】
【０００５】
即ち、本発明の電気光学装置は、第１基板と第２基板の間に電気光学物質が挟持され、前記第１基板と前記第２基板との間の前記電気光学物質の層厚をギャップ部材によって維持するとともに、前記第１基板及び前記第２基板のうち一方の基板の前記液晶層側には、着色膜と遮光膜が備えられており、複数のドットを有して構成された表示領域において表示を行う液晶装置であって、前記着色膜は、前記複数のドットに重なる複数色の表示着色膜を有し、前記表示領域内の前記複数のドットの間には、所定の色の表示着色膜の一部と該所定の色の表示着色膜に隣接した前記所定の色とは異なる色の表示着色膜の一部とが重なって遮光する部分と、前記所定の色の表示着色膜の一部と前記所定の色とは異なる色の表示着色膜の一部とが重ならずに前記遮光膜（遮光拡張部）が設けられた部分と、が備えられており、前記遮光膜が設けられた部分は、前記所定の色の表示着色膜の一部と前記所定の色とは異なる色の表示着色膜の一部とが重なって遮光する部分が延在した方向であって、前記ドットの角部に対応した位置に配置されており、前記遮光膜は、前記所定の色の表示着色膜の一部と前記所定の色とは異なる色の表示着色膜の一部とが重なって遮光する部分の幅及び前記ギャップ部材の幅よりも大きく設けられていることを特徴とする。
また、本発明の電気光学装置は、前記遮光膜上に隙間を有して前記所定の色の表示着色膜の一部と前記所定の色とは異なる色の表示着色膜の一部とが隣接して設けられていることを特徴とする。
また、本発明の電気光学装置は、前記表示領域の外部の周辺領域には、前記遮光膜と同一材料で形成され、前記周辺領域を遮光する周辺遮光膜と、前記表示着色膜と同一材料で形成され、前記周辺遮光膜上に設けられた周辺着色膜と、が備えられ、前記遮光膜上に隙間を有して設けられた前記表示着色膜の前記所定の色の前記周辺着色膜の一部と前記所定の色とは異なる色の表示着色膜の一部が、前記周辺着色膜として前記周辺領域の前記周辺遮光膜上にも設けられており、前記ギャップ部材は、前記周辺着色膜として前記周辺領域の前記周辺遮光膜上にも設けられた前記所定の色の表示着色膜の一部と前記所定の色とは異なる色の表示着色膜の一部の前記隙間に対応して配置されていることを特徴とする。
また、本発明の電気光学装置は、前記表示領域における前記遮光膜と該遮光膜上に設けられた前記表示着色膜の膜厚と、前記周辺領域における前記周辺遮光膜と該周辺遮光膜上に設けられた前記周辺着色膜の膜厚は、概ね同一に設定されていることを特徴とする。
また、本発明の電気光学装置は、第１基板と第２基板の間に電気光学物質が挟持され、前記第１基板と前記第２基板との間の前記電気光学物質の層厚をギャップ部材によって維持するとともに、前記第１基板及び前記第２基板のうち一方の基板の前記電気光学物質側には、着色膜と遮光膜が備えられており、配列された複数のドットを有して構成された表示領域において表示を行う電気光学装置であって、前記着色膜は、前記複数のドットに重なる複数色の表示着色膜と、前記表示領域の外部の周辺領域に設けられた周辺着色膜とを有し、前記遮光膜は、前記表示領域内において前記複数のドットの間に設けられた遮光膜と、前記周辺領域に設けられた周辺遮光膜とを有してなり、前記表示領域内には、前記表示着色膜の一部と前記複数のドットの間に設けられた遮光膜とが重なり合う積層部が設けら、前記周辺領域内には、前記周辺遮光膜上に前記周辺着色膜が設けられた複数の積層部と、前記周辺遮光膜上に前記周辺着色膜が設けられていない部分と、が設けられており、前記周辺領域内における複数の前記積層部は、前記複数のドットの第１の配列方向に延在した積層部と、前記第１の配列方向に直交した前記複数のドットの第２の配列方向に延在した積層部によって構成され、該積層部同士の隙間に対応して前記ギャップ部材が配置されていることを特徴とする。
また、本発明の電気光学装置は、前記表示領域内における前記積層部の膜厚と、前記周辺領域内における前記積層部の膜厚は、概ね同一に設定されていることを特徴とする。